(57)【要約】【課題】      携帯電話を手放しで操作して通話内容を録音再生できるハンズフリーボイスメモ装置。【解決手段】  ホルダ（７）の表層に形成され携帯電話機（５）を嵌着して充電可能な充電台（７ａ）と、その充電台（７ａ）に嵌着された前記携帯電話機（５）の受話スピーカ（４）の出力する音声を集音し利用者の耳（８）まで中継または補聴する補聴マイクロホン（９）と、補聴マイクロホン（９）で集音された音声を増幅するアンプと、アンプの音声出力を利用者の耳（８）まで到達するように拡声するスピーカ（１１）と、携帯電話機（５）が受信すればアンプおよび／または付設部にＯＮを指令する受信感知手段（１２）と、携帯電話機（５）の通話が切断すればアンプおよび／または付設部にＯＦＦ指令する通話切断感知手段と、受信感知手段のＯＮ指令により通話の録音を開始する録音手段と、を備えた。【選択図】  図１
2006287290.tif 000002
【特許請求の範囲】
【請求項１】
複数の操作ボタンのうち少なくとも応呼／発呼ボタン（１）ならびに通話終了ボタン（２）および送話マイクロホン（３）の機能を生かした状態で携帯電話機（５）を仮設位置（６）に着脱自在とするホルダ（７）と、
前記ホルダ（７）の表層に形成され前記携帯電話機（５）を嵌着して充電可能な充電台（７ａ）と、
前記充電台（７ａ）に嵌着された前記携帯電話機（５）の受話スピーカ（４）の出力する音声を集音し利用者の耳（８）まで中継または補聴する補聴マイクロホン（９）と、
前記補聴マイクロホン（９）で集音された音声を増幅するアンプ（１０）と、
前記アンプ（１０）の音声出力を利用者の耳（８）まで到達するように拡声するスピーカ（１１）と、
前記携帯電話機（５）が受信すれば前記アンプ（１０）および／または付設部にＯＮを指令する受信感知手段（１２）と、
前記携帯電話機（５）の通話が切断すれば前記アンプ（１０）および／または付設部にＯＦＦ指令する通話切断感知手段（１３）と、
前記受信感知手段（１２）のＯＮ指令により通話の録音を開始する録音手段（１４）と、を備えたことを特徴とするハンズフリーボイスメモ装置（１００）。
【請求項２】
前記仮設位置（６）は自動車の室内であることを特徴とする請求項１に記載のハンズフリーボイスメモ装置（１００）。
【請求項３】
前記受信感知手段（１２）は前記携帯電話機（５）の受信音を感知したときに前記アンプ（１０）および／または付設部へＯＮ指令し、
前記通話切断感知手段（１３）は前記携帯電話機（５）が無音の状態を所定時間だけ継続したときに前記アンプ（１０）および／または付設部へＯＦＦ指令することを特徴とする請求項１または請求項２に記載のハンズフリーボイスメモ装置（１００）。
【請求項４】
録音手段（１４）は手動操作に応じて録音内容を再生させる再生ボタン（１４ａ）を備えたことを特徴とする請求項１ないし請求項３の何れか１項に記載のハンズフリーボイスメモ装置（１００）。
【請求項５】
本体の内部に形成された電池収納部（１５）と、
自動車シガーライタアダプタ（１６）または商用電源ＡＣアダプタ（１７）から電源供給の結合・離脱を自在にするプラグジャック部（１９）と、を備えたことを特徴とする請求項１ないし請求項４の何れか１項に記載のハンズフリーボイスメモ装置（１００）。
【発明の詳細な説明】
【技術分野】
【０００１】
本発明は携帯電話機手放し通話装置（以下、「ハンズフリー装置」ともいう）の派生・発展的形態に関し、特に通話内容を自動的に録音して適宜に再生できるようにしたハンズフリーボイスメモ装置に関する。
【背景技術】
【０００２】
携帯電話の送受信を手放しで操作するハンズフリー装置の配線コードを排除するものとして、携帯電話機に接続するコネクタ、電源、アンプ基板と共に、スピーカ及びマイクロホンをハウジング内部に収納して一体化したものがあった（例えば、特許文献１参照）。
【０００３】
このハンズフリー装置は、容器内部に電源を有し、音声を入力するマイクロホン、出力用のスピーカを有し、マイクロホンより入力した音声信号を該装置にあるアンプ回路で制御信号に置き換え当該装置のコネクタを携帯電話機の外部接続端子に接続し、携帯電話機を介して相手に通話し、かつ、相手からの音声を外部接続端子を介して当該装置のアンプ回路で増幅してスピーカにて音声を出力する一体の携帯電話機手放し通話装置である。
【０００４】
また、メモリに録音された音声の再生に際して、その録音メッセージ中の知りたい情報を直ちに検索して再生することのできる録音再生機能付きハンズフリー通話装置もあった
（例えば、特許文献２参照）。
【０００５】
この録音再生機能付きハンズフリー通話装置は、メモリによる音声の録音再生中に操作可能なピックアップスイッチを備え、メモリの音声録音中にピックアップスイッチが操作されたときに、ピックアップスイッチの操作時点におけるメモリの録音アドレスを頭出し用アドレスとして記憶し、メモリの音声再生中にピックアップスイッチが操作されたときに、頭出し用アドレスの近傍の録音アドレスから音声を再生するものである。
【特許文献１】特開２００１−１９７１８３号公報（段落０００５〜０００７、図４）
【特許文献２】特開平１１−２３９２２９号公報（段落０００１〜０００７、図１）
【発明の開示】
【発明が解決しようとする課題】
【０００６】
しかしながら、単に手放し通話できるだけでなく、通話中のタイミングに合わせて自動的に通話を録音し、通話切断後に適宜再生することも可能となるハンズフリーボイスメモ装置であって、しかも、自動車の運転中にも運転操作に支障なく、現行法制度下においても、合法的に使えるように改善されたハンズフリーボイスメモ装置が求められていた。特に、宅配業の従事者をはじめとして、運転中にも電話による通話が不可欠な人にとって、電話をかけること（以下、「発呼」または「発信」という）ができなくとも、せめて、かかってきた電話（以下、「受信」または「着信」という）への応答（以下、「応呼」という）だけでも安全にできれば、運転中に電話が使えない不便による業務効率の低下を防止できる。
【０００７】
また、市販されている携帯電話機の大半の機種に対し、配線接続を不要または簡単にして適合することが可能であるような、ハンズフリーボイスメモ装置も求められていた。
【０００８】
そして、携帯電話機を片手で容易にワンタッチ着脱できるハンズフリーボイスメモ装置も求められていた。
【０００９】
さらに、電源には乾電池、自動車バッテリー、商用電源の何れでも利用可能であり、室内外、自動車の内外を問わず、停電時にも乾電池で長時間の継続利用が可能であり、防災用品としての利用価値があるハンズフリーボイスメモ装置も求められていた。
【００１０】
そこで、本発明では、前記した問題を解決して一層便利なハンズフリーボイスメモ装置を提供することを目的とする。
【課題を解決するための手段】
【００１１】
前記課題を解決するため、請求項１に係る発明は、複数の操作ボタンのうち少なくとも応呼／発呼ボタン（１）ならびに通話終了ボタン（２）および送話マイクロホン（３）の機能を生かした状態で携帯電話機（５）を仮設位置（６）に着脱自在とするホルダ（７）と、前記ホルダ（７）の表層に形成され前記携帯電話機（５）を嵌着して充電可能な充電台（７ａ）と、前記充電台（７ａ）に嵌着された前記携帯電話機（５）の受話スピーカ（４）の出力する音声を集音し利用者の耳（８）まで中継または補聴する補聴マイクロホン（９）と、前記補聴マイクロホン（９）で集音された音声を増幅するアンプ（１０）と、
前記アンプ（１０）の音声出力を利用者の耳（８）まで到達するように拡声するスピーカ（１１）と、前記携帯電話機（５）が受信すれば前記アンプ（１０）および／または付設部にＯＮを指令する受信感知手段（１２）と、前記携帯電話機（５）の通話が切断すれば前記アンプ（１０）および／または付設部にＯＦＦ指令する通話切断感知手段（１３）と、前記受信感知手段（１２）のＯＮ指令により通話の録音を開始する録音手段（１４）と、を備えたことを特徴とするハンズフリーボイスメモ装置（１００）である。
【００１２】
請求項１に係る発明によれば、携帯電話機（５）を充電可能な充電台（７ａ）に嵌着し、手放し通話を補助する効果が高い。しかも、携帯電話機の大半の機種に対し、配線接続を不要または簡単にして適合する。
また、応呼する際には、応呼／発呼ボタン（１）を１回押圧するだけの手数により、両手を自由に使える状態での通話を可能にする。
そして、通話終了ボタン（２）を１回押圧するだけの手数により、通話を終了できる。
また、アンプ（１０）および／または付設部は携帯電話機（５）の通話中のタイミングに合わせて自動的にＯＮ−ＯＦＦするので、電力を無駄に消耗しない。そのＯＮ−ＯＦＦ動作は、受信感知手段（１２）が受信を感知すればＯＮする一方、通話切断感知手段（１３）が通話切断を感知すればＯＦＦする。
また、録音手段（１４）により通話中のタイミングに合わせて自動的に通話を録音し、通話した後に適宜再生することが可能となる。
【００１３】
請求項２に係る発明は、請求項１に記載の発明に加えて、前記仮設位置（６）は自動車の室内であることを特徴とするハンズフリーボイスメモ装置（１００）であるので、手放し通話を補助する効果が高く、自動車の運転に支障を来たさないので安全である
【００１４】
請求項３に係る発明は、請求項１または請求項２に記載の発明に加えて、前記受信感知手段（１２）は前記携帯電話機（５）の受信音を感知したときに前記アンプ（１０）および／または付設部へＯＮ指令し、前記通話切断感知手段（１３）は前記携帯電話機（５）が無音の状態を所定時間だけ継続したときに前記アンプ（１０）および／または付設部へＯＦＦ指令することを特徴とするハンズフリーボイスメモ装置（１００）である。
【００１５】
請求項３に係る発明によれば、受信音を感知することによってＯＮ指令し、無音の状態が所定時間だけ継続したことを感知したならばＯＦＦ指令するので、大半の携帯電話機に対して配線接続を不要に適合することが可能である。
【００１６】
請求項４に係る発明は、請求項１ないし請求項３の何れか１項に記載の発明に加えて、録音手段（１４）は手動操作に応じて録音内容を再生させる再生ボタン（１４ａ）を備えたことを特徴とするハンズフリーボイスメモ装置（１００）である。
【００１７】
請求項４に係る発明によれば、再生ボタン（１４ａ）の手動操作に応じて録音内容を適宜再生することが可能となる。
【００１８】
請求項５に係る発明は、請求項１ないし請求項４の何れか１項に記載の発明に加えて、本体の内部に形成された電池収納部（１５）と、自動車シガーライタアダプタ（１６）または商用電源ＡＣアダプタ（１７）から電源供給の結合・離脱を自在にするプラグジャック部（１９）と、を備えたことを特徴とするハンズフリーボイスメモ装置（１００）である。
【００１９】
請求項５に係る発明によれば、電源として乾電池、自動車バッテリー、商用電源の何れでも利用可能なので、室内外、自動車の内外を問わずに携帯電話機（５）の用途が広がる。また、停電時にも乾電池等で対応できるので、防災用品として利用できる効果がある。
【発明の効果】
【００２０】
請求項１に係る発明によれば、携帯電話機（５）を充電可能な充電台（７ａ）に嵌着し、手放し通話を補助する効果が高い。しかも、携帯電話機の大半の機種に対し、配線接続を不要または簡単にして適合する。すなわち、受信に応答する際には、応呼／発呼ボタン（１）を１回押圧するだけの手数により、両手を自由に使える状態の通話を開始し、通話終了ボタン（２）を１回押圧するだけの手数により、通話を終了できる。
また、アンプ（１０）および／または付設部は、受信すれば自動的にＯＮし、通話切断すれば自動的にＯＦＦするので電力を無駄に消耗しない。
また、録音手段（１４）により通話中のタイミングに合わせて自動的に通話を録音し、通話した後に適宜再生することが可能となる。
【００２１】
請求項２に係る発明は、手放し通話を補助する効果が高く、自動車の運転に支障を来たさないので安全である。
【００２２】
請求項３に係る発明によれば、大半の携帯電話機に対し、配線接続を不要にして適合することが可能である。
【００２３】
請求項４に係る発明によれば、再生ボタン（１４ａ）の手動操作に応じて録音内容を適宜再生することが可能となる。
【００２４】
請求項５に係る発明によれば、電源として乾電池、自動車バッテリー、商用電源の何れでも利用可能なので、室内外、自動車の内外を問わずに携帯電話機（５）の用途が広がる。また、停電時にも乾電池等で対応できるので、防災用品として利用できる効果がある。
【発明を実施するための最良の形態】
【００２５】
次に、本発明の実施形態について、適宜図面を参照しながら詳細に説明する。なお、各図にわたり、同一効果の部位には同一符号を付して説明の重複を避ける。図１は、実施形態に係るハンズフリーボイスメモ装置（以下、「本装置」という）の利用状態を示す外観斜視図である。図１に示す本装置１００の本体は、背もたれ部を有するゆりかごを小さくしたようなホルダ７で構成され、そのホルダ７に携帯電話機５を嵌着して用いる。
【００２６】
本装置１００の利用者は自動車の運転者である場合が多いので、運転中にも片手で簡単に操作できる範囲内、例えば、ダッシュボード４０上の仮設位置６（図３参照）に磁石またはマジックテープ（登録商標）あるいは両面テープ等の固定手段３０により固定されて用いられる。なお、本装置１００から携帯電話機５がワンタッチで着脱自在であることは当然ながら、後記する理由により、本装置１００のホルダ７全体も仮設位置６から着脱自在である方が好ましい。ただし、ホルダ７を仮設位置６から着脱する頻度は少ないので、常設でも構わない。
【００２７】
本装置１００は、ホルダ７の表層に形成され携帯電話機５を嵌着して充電可能な充電台７ａと、付設部を含んで一体に構成されている。このホルダ７に嵌着された携帯電話機５は、複数の操作ボタンのうち少なくとも応呼／発呼ボタン１ならびに通話終了ボタン２および送話マイクロホン３の機能を生かした状態である。つまり、応呼／発呼ボタン１ならびに通話終了ボタン２および送話マイクロホン３を露出していさえすれば、その他の操作ボタン類や表示画面等は覆い隠されていても構わない。なお、アンテナを引き出せるようにホルダ７の頂部７ａに切欠を設けると理想的である。そして、電波を遮蔽しないように、本装置１００の全体にわたって金属材料による弊害が生じないように配慮すべきことはいうまでもない。
【００２８】
また、充電台７ａに嵌着された携帯電話機５の受話スピーカ４の出力する音声を集音し利用者の耳８まで中継または補聴する補聴マイクロホン９が配設されている。この補聴マイクロホン９は、必ずしも受話スピーカ４に密着する必要はないが、外部ノイズを遮断するためにも、受話スピーカ４を完全に覆い隠せるような構成が好ましい。
【００２９】
補聴マイクロホン９で集音された音声を利用者の耳８まで到達するように拡声するスピーカ１１がホルダ７の頂部に配設されている。また、補聴マイクロホン９とスピーカ１１の信号経路には音声信号を増幅するアンプ１０（図２参照）が介挿されている。なお、アンプ１０で増幅された音声信号がスピーカ１１から補聴マイクロホン９に回り込んで発生するハウリング等の対策は適宜になされているものとする。
【００３０】
また、ホルダ７の手前には、再生ボタン１４ａが配設されており、この再生ボタン１４ａは通話の録音内容（以下、「ボイスメモ」という）を利用者が任意に再生して聞き直すときに押圧する押ボタンスイッチである。一方、ホルダ７の左側部には、プラグジャック部１９が配設されており、このプラグジャック部１９は、自動車シガーライタアダプタ（以下、「シガーライタアダプタ」と略す）１６または商用電源ＡＣアダプタ（以下、「ＡＣアダプタ」と略す）１７（図２参照）から電源供給の結合・離脱を自在にするためのコネクタである。
【００３１】
なお、乾電池または乾電池同等の外形のニッカド電池（以下、「電池」と略す）１８（図２，図３参照）を電源として利用可能とするようにホルダ７の内部に電池収納部１５（図３参照）が形成されている。
【００３２】
また、ホルダ７の頂部に、スピーカ１１が上向きに発声するように配設されているのに加えて、スピーカ１１を補助するために、ホルダ７の外部にもスピーカ２１を適宜増設することが可能である。なお、内蔵のスピーカ１１と外付けのスピーカ２１の主・副の関係は何れでもよく、また、スピーカは１個以上あれば何個でも構わない。
【００３３】
外付けのスピーカ２１には、操作ボタン等がなく、利用者から視認または操作を受ける必要がないので、例えば、自動車内の天井、サンバイザー、ドア窓の上にある握り手、運転席の背もたれの頂部に形成された安全枕、ピラー等に設置すればよく、好ましくは、発声面が利用者の耳に向いて最短距離となる配置であればよい。あるいはスピーカ内臓の安全枕を特別あつらえで設置してもよく（図示せず）、簡便には安全枕のカバー等にスピーカ２１を取り付けても同等の効果が得られる。
【００３４】
なお、外付けのスピーカ２１と本装置１００を接続する電線であるスピーカコード２２を省略したい場合は、補聴マイクロホン９にＦＭワイヤレスマイク（図示せず）の機能を付加することも一つの解決手段となる。すなわち、受話スピーカ４から発声する通話音声を補聴マイクロホン９で集音し、この通話音声を微弱なＦＭ電波で車載ラジオ（図示せず）に向けて発信し、車載ラジオのスピーカで聞きやすい音量にして聞けばよい。
【００３５】
図２は実施形態に係る本装置のブロック図である。図２に沿って本装置１００の構成と動作を合わせて説明する。本装置１００は基本的にはＤＣ６Ｖで駆動するように電気回路が設計されており、そのＤＣ６Ｖの供給は、シガーライタアダプタ１６、ＡＣアダプタ１７、電池１８の何れかによるものである。
【００３６】
なお、ホルダ７の内部に電池収納部１５（図３参照）は、ＤＣ６Ｖを確保するために、１．５Ｖの乾電池なら４本を直列に、１．２Ｖのニッカド電池なら５本を直列に接続できるように各別の電池ホルダを使い分けられる構成（図示せず）であれば、一層好ましい。
【００３７】
電池１８があれば、シガーライタアダプタ１６を外していても、携帯電話機５の待ち受け状態または通話状態が相当の長時間に及んで連続使用可能であり、かつ、携帯電話機５本体に装着して用いる純正仕様の電池（図示せず）への充電も可能である。さらに、本装置１００全体を仮設位置６（図１，図４参照）から外せば、屋内外、自動車の内外を問わずに携帯電話機５の用途が広がる。また、この電池１８によれば停電時にも相当長時間の待ち受け、および通話の対応ができるので、防災用品としても利用できるという効果がある。
【００３８】
図２において、受話スピーカ４の直近には補聴マイクロホン９が配設され、この補聴マイクロホン９により集音された音声信号が、受信感知手段１２、通話切断感知手段１３、録音手段１４、アンプ１０を経由してスピーカ１１から拡声されるように接続されている。
【００３９】
この受信感知手段１２は、携帯電話機５に電話がかかってきたならば、補聴マイクロホン９が着信音（着信ベル音、着信メロディーまたは着信バイブレーション）等を感知すれば、着信を認識することができる機能を備え、この受信感知手段１２は常時ＤＣ６Ｖが供給されて待機し、受信すればアンプ１０および付設部がＯＮするようにメインスイッチ２０を閉じるように指令する。ここでいう付設部とは通話切断感知手段１３と録音手段１４である。
【００４０】
受信感知手段１２からＯＮを指令されるとアンプ１０、通話切断感知手段１３および録音手段１４にＤＣ６Ｖが供給され、これらが機能する。
【００４１】
一方、通話切断感知手段１３は、補聴マイクロホン９が集音した通話音声または録音手段１４が再生する再生音声が３０秒間途絶えたならば、メインスイッチ２０を開くように指令する。なお、通話録音の終了後、必ず３０秒間の無音状態が記録されるので、再生時にもボイスメモの末尾に必ず３０秒間の無音状態が再生される。
【００４２】
携帯電話機５の通話が切断すれば通話切断感知手段１３によりアンプ１０および付設部へＯＦＦの指令がされるので、アンプ１０および録音手段１４をＯＦＦするとともに、通話切断感知手段１３自身へのＤＣ６Ｖの供給も遮断して機能を停止する。なお、通話切断感知手段１３はアンプ１０程には電力を消費しないので、必ずしも電源の供給をＯＦＦする必要はない。
【００４３】
録音手段１４は補聴マイクロホン９が集音した通話音声をアナログ信号からデジタル変換（符号化）して半導体メモリ素子（図示せず）にデジタルデータとして記録しておく。そのデジタルデータは、利用者が再生ボタン１４ａを押す指示に応じてアナログ変換（復号化）されて可聴音声に再生され、アンプ１０を介してスピーカ１１で通話音声が拡声される。
【００４４】
もし、スピーカ１１の発声する音量では不足または不明瞭ならば、任意選択によりスピーカ２１を利用者の耳８の近く（好みに応じて図１の配置でも可）に補足配設する。なお、アンプ１０および／またはスピーカ２１には音量調節機能（図示せず）も含まれているものとする。
【００４５】
本装置１００の内部に形成された電池収納部１５（図３参照）に装填された電池１８から本装置１００の充電台７ａに嵌着された携帯電話機５へ供給するＤＣ６Ｖにより、適宜に間欠的な充電を行うとともに、数百〜千時間程度の連続待ち受けが可能である。なお、メインスイッチ２０があるので、それと重複するような手動の電源スイッチを併設しなくても構わない。
【００４６】
また、外部電源として、シガーライタアダプタ１６またはＡＣアダプタ１７から電源供給の結合・離脱を自在にするプラグジャック部１９を備えているので、利用方法によっては電池１８および電池収納部１５（図３参照）は不要である。
【００４７】
なお、図２では簡略に示しているが、プラグジャック部１９に外部電源が印加されたならば、電池１８から本装置１００への電源供給が切断されるように、あるいは、常時接続されたニッカド電池に充電が施されるように回路構成してもよい。
【００４８】
図３は実施形態に係る本装置の側断面図であり、本装置に携帯電話機をワンタッチ着脱する様子を示している。図３に示すように、ほぼ直角に開いて手に持った携帯電話機５の頂部を、本装置１００の前面の下方から補聴マイクロホン９の裏側に向けて突き上げるように進入させてから、やや後退させるように充電台７ａに嵌着する。
【００４９】
ホルダ７の頂部７ｂにはスピーカ１１が発声部を上向きに内臓されている。また、突端部７ｃの裏側には、携帯電話機５の受話スピーカ４が対面し、その受話スピーカ４に補聴マイクロホン９が対峙するように配設されている。
【００５０】
このホルダ７の頂部７ｂから突端部７ｃにかけては、例えば、シリコンゴム等のように柔軟性、弾力性のある材料が望ましく、異なる機種の携帯電話機５の寸法差を吸収できるように設計すべきである。なお、自動車事故等により利用者または同乗者に本装置１００がぶつかることを考慮した場合も、本装置１００の表面が柔らかいほど怪我も少なくて済むので、外形の角部も滑らかにデザインすることが望ましい。
【００５１】
なお、汎用性を考慮して、携帯電話機５の異なる機種ごとに付属して販売されている専用の充電台７ａをホルダ７の基盤部に接着して改造利用してもよい。その場合は、その充電台７ａには本装置１００から電源供給を受けるための配線を施すため、ホルダ７から充電台７ａまでは図示せぬ専用の電源プラグを介在させるか、または直に配線接続するか、何れでも構わない。一方、汎用性を考慮せず、携帯電話機５の異なる機種ごとに固有の専用機種として本装置１００を設計・製造するならば、充電台７ａはホルダ７と一体成形等により構成すればコストダウンすることが可能である。
【００５２】
図３に示すホルダ７の背部に内蔵されたプリント基板（ＰＣＢ）には、図２に示したアンプ１０、受信感知手段１２、通話切断感知手段１３および録音手段１４が回路構成されている。このＰＣＢの配置はホルダ７の基盤部の内側でも構わない。
【００５３】
また、図３に示すホルダ７の底部はマジックテープ（登録商標）等の固定手段３０によりダッシュボード４０に固定されているが、磁石等による着脱自在の固定手段のほか、両面粘着テープ、接着またはネジ止め等の常設用固着手段により固定しても構わない。
【００５４】
ここで、図４を主に他の図１〜図３も適宜参照しながら本装置１００の基本動作を説明する。
図４は実施形態に係る本装置の動作を示すフローチャートである。図４において、待ち受け状態の携帯電話機５に電話がかかって来ると、着信音が鳴る等の反応をするので、その反応を受信感知手段１２が感知してメインスイッチ２０をＯＮする。そうすると、メインスイッチ２０を介してＤＣ６Ｖの電源が、アンプ１０、通話切断感知手段１３および録音手段１４に供給される。その結果、携帯電話機５が受信（Ｓ１）すると、録音手段１４が録音をＯＮ（開始）（Ｓ２）し、利用者が応呼するしないにかかわらず、通話を録音できる状態となり、同時にアンプ１０の電源もＯＮ（Ｓ３）して音声を増幅する。
【００５５】
利用者が応呼／発呼ボタン１を押すと（Ｓ４）、通話の状態（Ｓ５）になり、通話終了ボタン２を押すと（Ｓ６）、通話は切断（Ｓ７）される。そして、無音で３０秒経過すれば（Ｓ８）、メインスイッチ２０をＯＦＦすることにより録音をＯＦＦ（停止）し（Ｓ９）、それと同時にアンプ電源もＯＦＦする（Ｓ１０）。
【００５６】
一方、利用者が適宜に再生ボタン１４ａを押す（Ｓ１１）ことにより、ボイスメモの再生をＯＮ（開始）する（Ｓ１２）と同時にアンプも電源ＯＮ（Ｓ１３）する。そうすると、録音手段１４にデジタル変換されて既に保存されている通話録音データがあるならば、その通話録音データがアナログ変換されて音声信号となり、この音声信号がアンプ１０により増幅され、スピーカ１１，２１から利用者の耳８へと到達する。このように、再生ボタン１４ａが押され（Ｓ１１）、一通り、録音内容を再生して聞いた後、無音３０秒（Ｓ１４）経過すれば、再生をＯＦＦ（Ｓ１５）し、アンプ１０の電源もＯＦＦ（Ｓ１６）する。なお、（Ｓ８）および（Ｓ１４）に示した「無音３０秒」の時間は適宜加減しても構わない。
【００５７】
この再生ボタン１４ａを押す（Ｓ１１）ことにより、利用者が任意に録音内容を再生ＯＮ（Ｓ１２）する動作は、Ｓ１〜Ｓ１０に示したように「電話がかかって来て受信（Ｓ１）してから録音ＯＦＦ（Ｓ９）すると同時にアンプ電源ＯＦＦする（Ｓ１０）」までのタイミングを除いて適宜に実行することができる。例えば、運転中の通話をボイスメモに残しておき、安全な場所に駐停車してから、いつでも、何回でも繰り返してボイスメモを再生して聞くことができる。なお、不要なボイスメモを消去する手順は、図示せぬ消去ボタン等の操作によるものとする。
【００５８】
以上、本発明の実施形態について説明したが、本発明は本実施形態には限定されない。例えば、図１〜図３に示した携帯電話機５は、本願発明の出願時点で最も一般的な二つ折りに折りたたむ形状であるが、そうでないものでも構わない。
【００５９】
また、本実施形態では、例えば高速道路を走行中の自動車が任意に駐停車できない状況で、運転中の利用者が応呼し、通話内容の記録をメモに残したい場合に、特に顕著に効果を奏することができるが、運転手の以外の同乗者も当然に本装置１００を利用することができる。
【００６０】
そして、業務用、家庭用、あるいは、移動通信利用と据え置き利用を問わず、利用者が身に付けての携帯利用中以外はどこでも本装置１００を便利に利用できる。
【図面の簡単な説明】
【００６１】
【図１】実施形態に係る本装置の利用状態を示す外観斜視図である。
【図２】実施形態に係る本装置のブロック図である。
【図３】実施形態に係る本装置の側断面図であり、携帯電話機をワンタッチ着脱する様子を示している。
【図４】実施形態に係る本装置の動作を示すフローチャートである。
【符号の説明】
【００６２】
１      応呼／発呼ボタン
２      通話終了ボタン
３      送話マイクロホン
４      受話スピーカ
５      携帯電話機
６      仮設位置
７      ホルダ
７ａ    充電台
８      （利用者の）耳
９      補聴マイクロホン
１０    アンプ
１１，２１  スピーカ
１２    受信感知手段
１３    通話切断感知手段
１４    録音手段
１４ａ  再生ボタン
１５    電池収納部
１６    （自動車）シガーライタアダプタ
１７    （商用電源）ＡＣアダプタ
１８    電池
１９    プラグジャック部
２０    メインスイッチ
２２    スピーカコード
３０    仮設手段
１００  ハンズフリーボイスメモ装置
【図１】
2006287290.tif 000003
【図２】
2006287290.tif 000004
【図３】
2006287290.tif 000005
【図４】
2006287290.tif 000006